(57)【要約】【課題】燃料の消費に伴って電子機器内にできる無駄なスペースをなくし、電子機器を小型化する。【解決手段】燃料を供給することによって発電する発電装置を具備する電子機器１である。発電装置に供給する燃料が充填され、燃料の内容量に応じて体積が変化する可撓性の燃料容器３０と、燃料容器３０が端部に接続され、発電装置を備える第１の筐体１０と、燃料容器３０を収容し第１の筐体１０と嵌合する第２の筐体２０とを備える。第２の筐体２０に収容された燃料容器３０の体積減少に応じて、第１の筐体１０を第２の筐体２０内にスライド移動させて収容することで、電子機器１を小型化することができる。【選択図】図１
2007226997.tif 000002
【特許請求の範囲】
【請求項１】
燃料を供給することによって発電する発電装置を具備する電子機器であって、
前記発電装置に供給する燃料が充填され、燃料の内容量に応じて体積が変化する可撓性の燃料容器と、
前記燃料容器が端部に接続され、燃料電池を備える第１の筐体と、
前記燃料容器を収容し前記第１の筐体と嵌合する第２の筐体とを備え、
前記第１の筐体は前記燃料容器の体積減少に応じて前記第２の筐体内にスライド移動して収容されることを特徴とする電子機器。
【請求項２】
前記燃料容器の体積変化を感知するセンサと、
前記センサからの信号に応じて前記第２の筐体を前記第１の筐体に対してスライド移動させる移動手段とをさらに備えることを特徴とする請求項１に記載の電子機器。
【請求項３】
前記センサは前記第２の筐体の内壁面であって前記第１の筐体における前記燃料容器が接続される面に対向する面に設けられた圧力センサであることを特徴とする請求項２に記載の電子機器。
【請求項４】
前記第２の筐体の内壁面と、前記第１の筐体の外壁面であって前記内壁面と隣接する部分との一方には係止爪が設けられ、他方には前記係止爪と噛み合い可能な歯がスライド方向に複数配列され、
前記第１の筐体と前記第２の筐体とが嵌合した状態において前記係止爪と前記歯とが噛み合うことにより、前記第２の筐体の前記第１の筐体に対する逆スライド方向の動きを抑止することを特徴とする請求項１〜３のいずれか一項に記載の電子機器。
【請求項５】
前記係止爪と前記歯とを離間させ、前記係止爪と前記歯との噛み合いを解除する解除機構を備えることを特徴とする請求項４に記載の電子機器。
【請求項６】
前記第２の筐体をなす壁面の一部が透光性を有する透光部となっていることを特徴とする請求項１〜５のいずれか一項に記載の電子機器。
【請求項７】
燃料を供給することによって発電する発電装置を具備する電子機器であって、
前記発電装置に供給する燃料が充填され、燃料の内容量に応じて体積が変化する収納部と具備することを特徴とする電子機器。
【請求項８】
燃料を供給することによって発電する発電装置を具備する電子機器であって、
前記発電装置に供給する燃料が充填され、燃料の内容量に応じて体積が変化する可撓性の燃料容器と、
前記燃料容器を内部に収納するとともに、前記燃料容器の体積変化に応じてその容積を変化させることが可能な収納部と具備することを特徴とする電子機器。
【発明の詳細な説明】
【技術分野】
【０００１】
本発明は、燃料を供給することによって発電する発電装置を備える電子機器に関する。
【背景技術】
【０００２】
近年では、エネルギー変換効率の高いクリーンな電源として、水素を燃料とする燃料電池が自動車や携帯機器などに応用され始めている。燃料電池は、燃料と大気中の酸素を電気化学的に反応させて、化学エネルギーから電気エネルギーを直接取り出す装置である。
【０００３】
燃料電池に用いる燃料としては水素が挙げられるが、常温で気体であるため、取り扱いや貯蔵が困難である。そこで、アルコール類やガソリンといった液体燃料を用い、液体燃料を用いる燃料電池装置を搭載した電子機器が開発されている（例えば、特許文献１参照）。
【特許文献１】特開２００５−５５６８５号公報
【発明の開示】
【発明が解決しようとする課題】
【０００４】
燃料電池システムを搭載した電子機器において、燃料容器が可撓性を有する場合、燃料の消費に伴って燃料容器の体積が減少する。しかし、従来の電子機器は、電子機器本体の体積が一定のままであるので、電子機器における燃料容器を設けた領域には燃料容器の体積減少に伴い空間が形成されるため、スペースの無駄があった。
【０００５】
本発明の課題は、燃料の消費に伴って電子機器内にできる無駄なスペースをなくし、電子機器を小型化することである。
【課題を解決するための手段】
【０００６】
以上の課題を解決するため、請求項１に記載の発明は、燃料を供給することによって発電する発電装置を具備する電子機器であって、前記発電装置に供給する燃料が充填され、燃料の内容量に応じて体積が変化する可撓性の燃料容器と、前記燃料容器が端部に接続され、発電装置を備える第１の筐体と、前記燃料容器を収容し前記第１の筐体と嵌合する第２の筐体とを備え、前記第１の筐体は前記燃料容器の体積減少に応じて前記第２の筐体内にスライド移動して収容されることを特徴とする。
【０００７】
請求項１に記載の発明によれば、燃料の減少に対応して第２の筐体に収容された燃料容器の体積が減少し、これに応じて、第１の筐体を第２の筐体内にスライド移動させて収容することで、電子機器を小型化することができる。
【０００８】
請求項２に記載の発明は、請求項１に記載の電子機器であって、前記燃料容器の体積変化を感知するセンサと、前記センサからの信号に応じて前記第２の筐体を前記第１の筐体に対してスライド移動させる移動手段とをさらに備えることを特徴とする。
【０００９】
請求項２に記載の発明によれば、燃料陽気の体積変化を感知するセンサからの信号に応じて移動手段により第２の筐体を第１の筐体に対してスライド移動させることにより、燃料容器の体積減少に応じて自動的に電子機器を小型化することができる。
【００１０】
請求項３に記載の発明は、請求項２に記載の電子機器であって、前記センサは前記第２の筐体の内壁面であって前記第１の筐体における前記燃料容器が接続される面に対向する面に設けられた圧力センサであることを特徴とする。
【００１１】
請求項３に記載の発明によれば、圧力センサにより燃料容器が第２の筐体の内壁面に当接しているかを感知することで、燃料容器の体積減少を感知することができる。
【００１２】
請求項４に記載の発明は、請求項１〜３のいずれか一項に記載の電子機器であって、前記第２の筐体の内壁面と、前記第１の筐体の外壁面であって前記内壁面と隣接する部分との一方には係止爪が設けられ、他方には前記係止爪と噛み合い可能な歯がスライド方向に複数配列され、前記第１の筐体と前記第２の筐体とが嵌合した状態において前記係止爪と前記歯とが噛み合うことにより、前記第２の筐体の前記第１の筐体に対する逆スライド方向の動きを抑止することを特徴とする。
【００１３】
請求項４に記載の発明によれば、第１の筐体の外壁面と第２の筐体の内壁面に設けられた係止爪と歯を噛み合わせることにより、第２の筐体の第１の筐体に対する逆スライド方向の動きを抑止することができる。また、係止爪と噛み合わせる歯を変えることにより、第１の筐体と第２の筐体とを段階的にスライドさせることができる。
【００１４】
請求項５に記載の発明は、請求項４に記載の電子機器であって、前記係止爪と前記歯とを離間させ、前記係止爪と前記歯との噛み合いを解除する解除機構を備えることを特徴とする。
【００１５】
請求項５に記載の発明によれば、解除機構により係止爪と歯との噛みあいを解除することで、第１の筐体と第２の筐体とを分離することができ、燃料容器を交換することができる。
【００１６】
請求項６に記載の発明は、請求項１〜５のいずれか一項に記載の電子機器であって、前記第２の筐体をなす壁面の一部が透光性を有する透光部となっていることを特徴とする。
【００１７】
請求項６に記載の発明によれば、透光部を介して第２の筐体内の燃料容器の残量を確認することができる。
【００１８】
請求項７に記載の発明は、燃料を供給することによって発電する発電装置を具備する電子機器であって、前記発電装置に供給する燃料が充填され、燃料の内容量に応じて体積が変化する収納部と具備することを特徴とする。
【００１９】
請求項７に記載の発明によれば、燃料の減少に対応して収納部の体積が減少し、これに応じて、収納部の体積を減少することができ、ひいては、電子機器を小型化することができる。
【００２０】
請求項８に記載の発明は、燃料を供給することによって発電する発電装置を具備する電子機器であって、前記発電装置に供給する燃料が充填され、燃料の内容量に応じて体積が変化する可撓性の燃料容器と、前記燃料容器を内部に収納するとともに、前記燃料容器の体積変化に応じてその容積を変化させることが可能な収納部と具備することを特徴とする。
【００２１】
請求項８に記載の発明によれば、燃料の減少に対応して収納部に収納された燃料容器の体積が減少し、これに応じて、収容部の体積を減少することができ、ひいては、電子機器を小型化することができる。
【発明の効果】
【００２２】
本発明によれば、燃料の減少に対応して、電子機器を小型化することができる。
【発明を実施するための最良の形態】
【００２３】
以下、本発明の実施形態について詳細に説明する。
【００２４】
＜第１実施形態＞
図１は本発明が適用された電子機器の例として、デジタルカメラ１を示す要部断面図である。デジタルカメラ１は、第１の筐体１０と、第２の筐体２０と、燃料容器３０とからなり、図１は第２の筐体２０のみ奥行き方向中央部における断面を示している。
【００２５】
第１の筐体１０の前面には、レンズユニット２、シャッタボタン３、閃光装置４等が設けられている。また、図１には図示しないが、第１の筐体１０の後面には表示部５や各種ボタン７、ダイヤル８、キー９等が設けられている（図５参照）。
【００２６】
また、第１の筐体１０の内部には、図示しないが、燃料から水素を生成する改質器や、副生成物である一酸化炭素を除去する一酸化炭素除去器や、生成された水素を酸素と反応させて電力を得る燃料電池等が収納されている。なお、燃料電池に燃料を改質せずに供給する場合には、改質器や一酸化炭素除去器は不要である。
【００２７】
第１の筐体１０におけるシャッタボタン３、閃光装置４等が設けられた側の一端部と反対側の他端部には、燃料容器３０が着脱可能に取り付けられている。燃料容器３０の内部には、液体の燃料が充填されている。ここで、燃料としては、メタノール、エタノール等のアルコール類やガソリンといった水素原子を含む化合物と、水との混合液を用いることができる。
【００２８】
燃料容器３０は燃料に対して不溶性の可撓性材料からなる。このような材料としては、例えばフッ素樹脂を用いることができる。燃料容器３０は、内部に充填された燃料の減少に伴って収縮し、図２に示すように、体積を減少させる。
また、燃料容器３０は、例えば図３、図４に示すように、蛇腹形状とすることにより、第１の筐体における燃料容器３０が設けられた面に対して垂直方向に伸縮可能に形成してもよい。
【００２９】
第２の筐体２０は、一端に開口２１を有する箱状であり、内部に燃料容器３０を収納するとともに、燃料容器３０が取り付けられた第１の筐体１０の他端部が開口２１に嵌入されている。第２の筐体２０には、図２に示すように、燃料容器３０の体積の減少に伴って第１の筐体１０側にスライドし、燃料容器３０の体積の減少分だけ第１の筐体１０を内部に収容する。以後、この方向を順スライド方向といい、反対方向を逆スライド方向という。
【００３０】
ここで、第２の筐体２０は、燃料容器３０の体積の減少に伴って段階的にスライドさせてもよいし、無段階的にスライドさせてもよい。これにより、第１の筐体１０及び第２の筐体２０により形成されるデジタルカメラ１の全体の大きさを小さくすることができる。
また、第２の筐体２０は、燃料容器３０をユーザが交換するときにのみ、図示しないロック機構が解除されることによって開くことができる断面Ｌ字状の扉部２８（図３参照）を備える。
【００３１】
なお、第１の筐体１０は、シャッタボタン３、閃光装置４等が設けられた側の端部と反対側の端部から第２の筐体２０に嵌入されるので、シャッタボタン３の操作や、閃光装置４等の動作に影響しない。
【００３２】
燃料容器３０内の燃料が少なくなったら、第２の筐体２０を第１の筐体１０から取り外し、次いで燃料容器３０を取り外し、燃料が充填された燃料容器３０に取り替えることができる。なお、図５に示すように、第２の筐体２０に、プラスチック、アクリル等の透光性を有する部材からなる透光部２２を設け、内部の燃料容器３０が透光部２２を介して外部から見えるようにしてもよい。
【００３３】
なお、第２の筐体２０には、第１の筐体１０のシャッタボタン３、閃光装置４等が設けられた側の一端部と反対側の他端部が嵌入されており、ユーザがデジタルカメラ１を掴むときには、第１の筐体１０のシャッタボタン３、閃光装置４等が設けられた側の一端部を掴むので、第２の筐体２０が撮影時に邪魔になることがない。
【００３４】
また、燃料容器３０の体積が最も小さく、第２の筐体２０の順スライド方向へのスライド変位が最大となる位置でも、第２の筐体２０は第１の筐体１０に設けられたレンズユニット２、閃光装置４、シャッタボタン３、表示部５等に覆い被さる、もしくはぶつかるということがなく、これらの機能を妨げることはない。以後、燃料容器３０の体積が最も大きいときに第１の筐体１０と第２の筐体２０とがちょうどかみ合う位置をスライド変位の原点とする。
【００３５】
ここで、第２の筐体２０の第１の筐体１０に対するスライド機構の一例を図６に示す。図６（ａ）に示すように、第１の筐体１０の第２の筐体２０と当接する外周面には図示しないモータ４９（図７参照）により駆動されるピニオン１６が設けられ、第２の筐体２０の内側面にはピニオン１６と噛み合うラック２３が設けられている。
また、図６（ｂ）に示すように、第１の筐体１０の第２の筐体２０と当接する外周面に設けられた凹部１８内には、接点端子１７が設けられている。なお、第２の筐体２０の第１の筐体１０と当接する内壁面における凹部１８に対応する箇所には、接続端子２６が設けられていて、接点端子１７と接続端子２６との対応する端子同士が、可撓性を有する部材からなるフレキシブル基板２７上に設けられた図示しない配線を介して接続されている。
【００３６】
第２の筐体２０には、第１の筐体１０の燃料容器３０が取り付けられる端面と対向する内壁面に、圧力センサ２４が設けられており、圧力センサ２４から開口２１に至る信号線及び電源線を含む複数の導電線２５が内壁面に沿って延設されている。
【００３７】
フレキシブル基板２７は、スライド変位が０のときに接点端子１７と接続端子２６とを接続可能な長さに形成されており、スライド変位が大きいときに凹部１８内でフレキシブル基板２７自身が撓むことによって、接点端子１７と接続端子２６との接続を維持するものである。圧力センサ２４は導電線２５、接続端子２６、フレキシブル基板２７及び接点端子１７を介して、第１の筐体１０に内蔵された電源回路を含む制御回路と接続される。
【００３８】
このデジタルカメラ１には、圧力センサ２４等からの入力に従ってピニオン１６を駆動する制御回路が内蔵されている。図７は、デジタルカメラ１に設けられた制御回路の全体構成を示したブロック図である。図７に示すように、制御回路は、ＣＰＵ（Central Processing Unit）４１、ＲＡＭ（Random Access Memory）４２、不揮発性メモリ４３、ＨＤＤ（Hard Disk Drive）４４、画像処理回路４５、撮像素子４６、入力部４８、入出力インターフェース４７及び電源８０等を更に備える。
【００３９】
撮像素子４６はレンズユニット２によって結像された像を電気信号に変換する。画像処理回路４５は、撮像素子４６から出力された電気信号をデジタルデータに変換する。表示部５は、入出力インターフェース４７に接続され、ＣＰＵ４１から入される表示制御信号に従って画面表示を行う。
【００４０】
入力部４８は、上述のシャッタボタン３の他、各種ボタン７、ダイヤル８、キー９等を具備し、入出力インターフェース４７に接続されている。入力部４８は入出力インターフェース４７を介して、シャッタボタン３、各種ボタン７、ダイヤル８、キー９等の操作に対応する操作信号をＣＰＵ４１に出力する。
【００４１】
不揮発性メモリ４３は、画像処理回路４５から出力されたデジタルデータを記憶する。ＨＤＤ４４には、ＣＰＵ４１によって実行されるプログラムやデータが予め記憶されている。ＲＡＭ４２は、ＣＰＵ４１によって実行されるプログラムをプログラム格納エリアに展開する。また、ＲＡＭ４２は、ＣＰＵ４１によるプログラムの実行時に生じる処理結果等のデータをワークエリアに一時的に記憶する。
【００４２】
ＣＰＵ４１は、ＲＡＭ４２のプログラム格納エリアに展開されたプログラムに従って各種処理を行う。例えば、ＣＰＵ４１は、モータ４９に駆動信号を出力するとともに、出力した駆動信号から第２の筐体２０のスライド方向への変位量を計算し、ＲＡＭ４２のワークエリアに記憶する。
【００４３】
圧力センサ２４は、所定の圧力閾値と感知する圧力との対比によって、燃料容器３０が当接しているか否かを検出し、圧力センサ２４に燃料容器３０が当接している場合にはオン信号を、当接していない場合にはオフ信号を、導電線２５及び接点端子１７を介してＣＰＵ４１に出力する。
モータ４９は、ＣＰＵ４１により出力される駆動信号により駆動され、ピニオン１６を回転させる。
【００４４】
次に、第２の筐体２０をスライドさせる動作について説明する。
まず、燃料容器３０内の燃料が消費されることにより、燃料容器３０の体積が減少する。すると、燃料容器３０は圧力センサ２４から離れるので、圧力センサ２４が感知する圧力が所定の圧力閾値より小さくなるため、圧力センサ２４はオフ信号をＣＰＵ４１に出力する。
【００４５】
オフ信号が入力されたＣＰＵ４１はモータ４９に順回転の駆動信号を出力し、ピニオン１６を図６において反時計回りに回転させる。すると、ピニオン１６と噛み合うラック２３とともに、第２の筐体２０が順スライド方向にスライドする。
【００４６】
第２の筐体２０が第１の筐体１０側（順スライド方向）にスライドし、燃料容器３０が圧力センサ２４に当接すると、圧力センサ２４が感知する圧力が所定の圧力閾値より大きくなるため、圧力センサ２４はオン信号をＣＰＵ４１に出力する。
【００４７】
オン信号が入力されたＣＰＵ４１はモータ４９へ出力する駆動信号を停止する。これによりモータ４９は停止し、第２の筐体２０はスライド移動を停止する。以上の動作を第２の筐体２０の変位量が所定量に達するまで繰り返す。なお、第２の筐体２０の変位量は、モータ４９の駆動量からＣＰＵ４１が計算し、ＲＡＭ４２のワークエリアに記憶する。
【００４８】
ＣＰＵ４１は、ＲＡＭ４２のワークエリアに記憶された第２の筐体２０のスライド変位量が所定の値に達すると、燃料容器３０内の燃料が残り少なくなっていると判定し、入出力インターフェース４７を介して表示部５に第２の筐体２０をリリースして燃料容器３０の交換を促す画面（図８）を表示する。
【００４９】
この画面５１には、第２の筐体２０をリリースして燃料容器３０を交換することをユーザに促すメッセージ「カートリッジを交換しますか？」が表示されるとともに、ユーザが入力部４８を操作することにより選択される「ＯＫ」または「キャンセル」のメニュー５２，５３が表示される。ここで、カートリッジとは燃料容器３０のことをいう。
【００５０】
各種ボタン７、ダイヤル８、キー９等を操作してユーザが「ＯＫ」のメニュー５２を選択すると、ＣＰＵ４１はモータ４９に逆回転の駆動信号を出力し、ピニオン１６を図６において時計回りに回転させる。すると、ピニオン１６と噛み合うラック２３とともに、第２の筐体２０が逆スライド方向にスライド変位の原点位置となるまでスライドする。
【００５１】
それとともに、図９に示すように、表示部５には「カートリッジを交換してください」のメッセージボックスが表示され、「ＯＫ」のメニュー５４が表示される。さらにユーザが「ＯＫ」のメニュー５４を選択すると、デジタルカメラ１の電源がオフとなる。
【００５２】
第２の筐体２０がスライド変位の原点位置に戻ると、ユーザは第２の筐体２０が備える扉部２８を開いて、燃料容器３０を取り替える。
【００５３】
その後、デジタルカメラ１の電源をオンにすると、ＣＰＵ４１がモータ４９に順回転の駆動信号を出力し、ピニオン１６が図６において反時計回りに回転し、第２の筐体２０が第１の筐体１０側にスライドする。燃料容器３０が圧力センサ２４に当接すると、圧力センサ２４はオン信号をＣＰＵ４１に出力し、オン信号が入力されたＣＰＵ４１はモータ４９へ出力する駆動信号を停止する。
【００５４】
なお、上記第１実施形態において、圧力センサ２４への電源の供給をＣＰＵ４１によって制御するようにしてもよい。この場合、一定時間ごとに圧力センサ２４へ電源を供給することによって、圧力センサ２４を一定時間ごとに動作させて、ＣＰＵ４１が圧力センサ２４からオフ信号を受信した場合のみ、ＣＰＵ４１がピニオン１６を回転させるようにモータ４９を制御するようにすることができる。このとき、ＣＰＵ４１は圧力センサ２４からオフ信号を受信するまでモータ４９を動作させるようにすると、圧力センサ４１への電源の供給時間を短縮することができるので、消費電力を低減することができる。
【００５５】
＜第２実施形態＞
次に、第２の筐体２０を第１の筐体１０に対して手動でスライドさせるスライド機構を図１０〜図１３に示す。図１０は第２実施形態のデジタルカメラ１の正面、側面、及び上面を示す斜視図であり、図１１は図１０のXI−XI矢視断面図であり、図１２は図１０のXII−XII矢視断面図であり、図１３は図１０のXIII−XIII矢視断面図である。
【００５６】
図１３に示すように、第１の筐体１０の第２の筐体２０と当接する外周面には鋸歯状溝６０が設けられている。また、第２の筐体２０の内側面には、鋸歯状溝６０と噛み合う係止爪７６を有する係止部材７０が設けられている。
【００５７】
鋸歯状溝６０には、図１３に示すように、上向きに突出した歯６１が複数設けられ、鋸歯状に形成されている。それぞれの歯６１は、スライド方向に向かって上がる傾斜面６２と、スライド方向に垂直な垂直面６３とが交互に連続して形成されている。
【００５８】
係止部材７０は、図１２に示すように、第２の筐体２０に固定された固定部７１，７１と、固定部７１に対して前後方向に移動可能に設けられた可動部７２とからなる。可動部７２と固定部７１とは、弾性のある接続部７３により接続されている。
なお、接続部７３は、図１２ではＵ字形をしているが、弾性力を生じる構造であれば他の構造に変えてもよく、例えばＺ字形にしてもよい。
【００５９】
可動部７２の前後端部は、第２の筐体２０の外部からユーザにより押圧される押圧部７４となっている。可動部７２の中央部には、アーム７５が設けられており、アーム７５の下部に係止爪７６が設けられている。
係止爪７６はアーム７５の下部から下向きに突出しており、スライド方向に向かって上がる傾斜面７７と、スライド方向に垂直な垂直面７８とからなる。
アーム７５は通常、係止爪７６が鋸歯状溝６０の歯６１に係合するように下方に押圧する。一方、可動部７２が押圧部７４を前後より押圧されることで、アーム７５は中央部を上昇させるように変形し、係止爪７６が鋸歯状溝６０の歯６１に係合しないようにする。アーム７５の形状は、図１１ではＭ字形をしているが、前後より押圧されて中央部が上昇する形状であれば、その形状は任意である。
なお、第２の筐体２０には、アーム７５の変形を許容するため、アーム７５の上方に空隙が設けられている。
【００６０】
次に、第２の筐体２０をスライドさせる動作について説明する。
まず、燃料容器３０内の燃料が消費されることにより、燃料容器３０の体積が減少したら、第２の筐体２０を第１の筐体１０側へ押圧する。すると、鋸歯状溝６０内の歯６１の傾斜面６２に、係止爪７６の傾斜面７７が当接し、係止爪７６が歯６１の傾斜面６２に沿って上昇する。係止爪７６が歯６１の上端に達し、さらに第２の筐体２０が第１の筐体１０側へ押圧されると、係止爪７６は歯６１の上端を越え、隣接する歯６１の傾斜面６２に、係止爪７６の傾斜面７７が当接する。上記動作を、第２の筐体２０の内壁面が燃料容器３０に圧力を加える位置に達するまで繰り返す。
【００６１】
一方、係止爪７６の垂直面７８と歯６１の垂直面６３とが当接するため、第２の筐体２０が第１の筐体１０から遠ざかる方向へスライドすることはない。このように、係止爪７６を歯６１に噛み合わせることで、第２の筐体２０が逆スライド方向へ移動して第１の筐体１０から離脱することを防ぎながら、スライド方向へ第２の筐体２０をスライドさせることができる。
【００６２】
燃料容器３０内の燃料が残り少なくなったら、第２の筐体２０をリリースする。しかし、係止爪７６が鋸歯状溝６０内の歯６１に係止しているため、このままでは第２の筐体２０をリリースすることはできない。そこで、係止爪７６と歯６１との噛み合いを解除する必要がある。
【００６３】
係止爪７６と歯６１との噛み合いを解除するには、可動部７２の前後端の押圧部７４を押圧する。すると、アーム７５の中央部が上昇し、係止爪７６が鋸歯状溝６０の歯６１の上端よりも上方に配置される。これにより、係止爪７６と歯６１とが離間し、噛み合いが解除される。
この状態で、第２の筐体２０を逆スライド方向へ移動させることで、第２の筐体２０を第１の筐体１０から取り外すことができる。
【００６４】
第２の筐体２０を第１の筐体から取り外したら、燃料容器３０を取り替え、燃料容器３０を第２の筐体２０に収容し、第１の筐体１０の端部を第２の筐体２０に嵌入させ、係止爪７６を鋸歯状溝６０の歯６１に係止させる。
【００６５】
なお、第２の筐体２０を手動で取り外しできないようにする場合には、図１４に示すように、第２筐体の内壁の開口２１側端部に、鋸歯状溝６０の歯６１に係止するストッパー７９を設けてもよい。また、可動部７２の前後端（押圧部７４）が第２筐体の前面及び後面から露出しないようにし、可動部７２を前後から押圧できないようにしてもよい。この場合、上記第１実施形態と同様に、第２の筐体２０に断面Ｌ字状の扉部２８を設けることによって、燃料容器３０を取り替えることができる。
【００６６】
以上の実施形態によれば、燃料容器３０が収納された第２の筐体２０内に、燃料容器３０の体積減少に伴って第１の筐体１０を収容することで、デジタルカメラ１の全体の大きさを小型化することができる。
【００６７】
なお、上記何れの実施形態においても、燃料容器３０は燃料容器３０内部に残存する燃料の減少に伴ってその形状が変化するため、ユーザは透光部２２を介して燃料容器３０の形状を目視することによって、燃料の残量が減少したことを確認することができる。特に、第２実施形態では、第２の筐体２０はユーザの手動によって順スライド方向へのスライド移動されるので、燃料の残量の減少が確認できるようにすることによって、ユーザが適切に第２の筐体２０をスライド移動することができる。
【００６８】
また、透光部２２は第２の筐体２０の２つ以上の面に設けてもよいし、第２の筐体２０を透光性を有する部材によって形成してもよい。これらの変形例では、第２の筐体２０内部の燃料容器３０の変形をより目視しやすくなる。
【００６９】
さらに、上記実施形態では、デジタルカメラ１が第１の筐体１０、第２の筐体２０および燃料容器３０を備え、第１の筐体１０は第２の筐体２０内にスライド移動して収容される構成としたが、第１の筐体および第２の筐体２０を一体化してもよい。そして、上記実施形態における第２の筐体２０に対応する部分（収納部）を可撓性を有する部材によって形成する、または蛇腹状の構造とするとともに、この収納部内に燃料容器３０を収納する。この場合、燃料容器３０の体積の変化に応じて収納部の容積を変化させることによって、上記実施形態と同様に、燃料容器３０の体積の減少に応じて、デジタルカメラ１の体積を減少させることができる。
この変形例では、上記実施形態における第１の筐体１０と第２の筐体とを噛み合わせるための各部材や圧力センサ等が不要となり、部品点数を大幅に減らすことができる。
【００７０】
また、さらに、上記変形例の収納部が、燃料を注入するための燃料注入口を備える構成として、この収納部自体に燃料が充填できる構成としてもよい。この場合、燃料容器３０が不要となるため、さらに部品点数を減らすことができる。
【００７１】
なお、上記実施形態では、デジタルカメラ１について説明したが、本発明はこれに限らず、ノート型パーソナルコンピュータ、携帯電話機、ＰＤＡ（Personal Digital Assistant）、電子手帳、腕時計、デジタルビデオカメラ、ゲーム機器、遊技機、その他の電子機器に本発明を適用することができる。
【図面の簡単な説明】
【００７２】
【図１】本発明に係るデジタルカメラ１を示す要部断面図である。
【図２】図１のデジタルカメラ１の燃料容器３０が体積減少したときを示す要部断面図である。
【図３】他の形態のデジタルカメラ１を示す斜視図である。
【図４】図３のデジタルカメラ１の燃料容器３０が体積減少したときを示す要部断面図である。
【図５】他の形態のデジタルカメラ１を示す斜視図である。
【図６】（ａ）第２の筐体２０を第１の筐体１０に対してスライドさせる機構を示す模式断面図である。（ｂ）第２の筐体２０の要部拡大断面図である。
【図７】デジタルカメラ１に設けられた制御回路の全体構成を示したブロック図である。
【図８】表示部５に表示される画面である。
【図９】表示部５に表示される画面である。
【図１０】他の形態のデジタルカメラ１を示す斜視図である。
【図１１】図１０のXI−XI矢視断面図である。
【図１２】図１０のXII−XII矢視断面図である。
【図１３】図１０のXIII−XIII矢視断面図である。
【図１４】他の形態のデジタルカメラ１を示す要部断面図である。
【符号の説明】
【００７３】
１     デジタルカメラ（電子機器）
１０   第１の筐体
１６   ピニオン（移動手段）
２０   第２の筐体
２２   透光部
２３   ラック（移動手段）
２４   圧力センサ
３０   燃料容器
６１   歯
７６   係止爪
【図１】
2007226997.tif 000003
【図２】
2007226997.tif 000004
【図３】
2007226997.tif 000005
【図４】
2007226997.tif 000006
【図５】
2007226997.tif 000007
【図６】
2007226997.tif 000008
【図７】
2007226997.tif 000009
【図８】
2007226997.tif 000010
【図９】
2007226997.tif 000011
【図１０】
2007226997.tif 000012
【図１１】
2007226997.tif 000013
【図１２】
2007226997.tif 000014
【図１３】
2007226997.tif 000015
【図１４】
2007226997.tif 000016